(57)【要約】【目的】本発明は建築、構築物の外壁材として使用する建築用パネルの、下端部に形成する通気機能を付加した通気壁構造に関するものである。【構成】外装を形成する建築用パネルＤの裏面に通気層γを形成する通気壁構造において、固定片に連通空間８を有する通気部材６を形成した建築用パネルＤと通気止縁Ｃと通気水切りＡを躯体α上に形成した通気壁構造である。【選択図】　　　　図１
2004060206.tif 000002
【特許請求の範囲】
【請求項１】
外装を形成する建築用パネルの裏面に通気層を形成する通気壁構造において、固定片に連通空間を有する通気部材を形成した建築用パネルと通気止縁と通気水切りを躯体上に形成したことを特徴とする通気壁構造。
【発明の詳細な説明】
【０００１】
【発明の属する技術分野】
本発明は建築、構築物の外壁材として使用する建築用パネルの、下端部に形成する通気機能を付加した通気水切りに関するものである。
【０００２】
【従来の技術】
一般に、屋内の湿気等を外部に放出するには、図１０〜図１２に示すように、建築用パネルＤの裏面に空間を形成し、点線矢印で示すように、この空間を通気路γとして軒天（有孔板）、換気棟、建築用パネルＤの最上段に形成した通気用止縁、等から屋内の湿気等を排出していた。
【０００３】
【発明が解決しようとする課題】
しかしながら、建築用パネルＤが横張りの場合には、躯体αと建築用パネルＤ間に縦胴縁を形成し、通気路γを形成する必要があった。勿論、縦張りで形成する場合には、横胴縁を形成するが、横胴縁では土台から軒までの連通した空間を形成するには間隔を有して横胴縁を形成する必要があり、施工性に問題があった。また、土台部分の空間から虫が浸入し、巣を作ることがあった。
【０００４】
【課題を解決するための手段】
本発明はこのような欠点を除去するために、外装を形成する建築用パネルの裏面に通気層を形成する通気壁構造において、固定片に連通空間を有する通気部材を形成した建築用パネルと通気止縁と通気水切りを躯体上に形成した通気壁構造である。
【０００５】
【発明の実施の形態】
以下に図面を用いて、本発明に係る通気壁構造の一実施例について詳細に説明する。すなわち、図１、図２は本発明に係る通気壁構造を示す断面図であり、図３（ａ）、（ｂ）〜図５に示す通気水切りＡ、スタータＢ、通気止縁Ｃ、建築用パネルＤよりなるものである。
【０００６】
さらに詳説すると、通気水切りＡは図３（ａ）に示すように、垂直平面状の固定片１と、固定片１の下端を下方に傾斜して突出した水切り片２と、水切り片２の先端部分を内側方に突出した水切り３と、水切り３の先端を下方に垂下した化粧面４と、化粧面４の先端を内側方に突出した補強片５とから形成した基材ａと、固定片１の裏面に形成した通気部材６とから形成した長尺状部材である。また、αは躯体、βは固定具、γは通気路である。
【０００７】
スタータＢは図３（ｂ）に示すように、垂直平面状の固定片９と、固定片９の下端を水平に突出した下片１０と、下片１０の先端部分を上方に突出した係止片１１と、固定片９と下片１０と係止片１１により囲まれた係止溝１２と、係止片１１の先端を折り返した補強片１３とから形成した長尺状部材である。
【０００８】
【発明の実施の形態】
通気止縁Ｃは図４に示すように、垂直平面状の固定片１４と、固定片１４の上端を水平に突出した上片１５と、上片１５の先端部分を下方に垂下した化粧片１６と、固定片１４と上片１５と化粧片１６により囲まれた係止溝１７と、化粧片１６の先端を傾斜して屈曲した補強片１８とから形成した基材ｃと、固定片１４の裏面に形成した通気部材６とから形成した長尺状部材である。
【０００９】
基材ａ、基材ｃ、スタータＢとしては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、等からなるものである。
【００１０】
建築用パネルＤは図５に示すように、表面材１９と裏面材２０で例えば合成樹脂発泡体からなる芯材２１を、サンドイッチした建築用パネルＤである。
【００１１】
建築用パネルＤの全体形状の一例としては図５に示すように、長尺で金属製の薄板からなる表面材１９と裏面材２０間に芯材２１をサンドイッチし、幅方向の一端に形成した雄型連結部２２、他端に形成した雌型連結部２３とから形成したものである。また、建築用パネルＤの裏面には通気部材６を形成したものである。勿論、建築用パネルＤとしては、窯業系サイディング、金属系パネル、セラミック材、ＡＬＣパネル、等よりなるものでも良いものである。
【００１２】
表面材１９と裏面材２０は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、裏面材２０としてアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１３】
芯材２１は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、特に耐火性を必要とする場合にはレゾール型フェノールの原液と、硬化剤、発泡剤を混合し、表面材１、もしくは裏面材２の裏面側に吐出させ、加熱して反応・発泡・硬化させて形成したものである。また、芯材２１中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。勿論、芯材３としてロックウール、グラスウール、セラミックウール等の無機材を使用しても良いものである。
【００１４】
通気部材６は通気路γ形成材、嵩上げ材、胴縁、等として機能するものであり、図６（ａ）〜（ｄ）に示しように、図では四角形の格子７を形成し、格子７により複数個の連通空間８を形成したものである。
【００１５】
その素材としては、プラスチック成形材（例えばポリプロピレン等）、金属材（例えばアルミニウム等）、紙（高強度）、木材、等よりなるものである。勿論、連通空間８を形成できるもので有れば、材質（基材の他に、強度強化、耐候性向上、耐火性向上、劣化防止、等の性能向上を図るために積層、あるいは混入する材料も含める）は任意に選択できるものである。
【００１６】
通気部材６の有効開口面積（換気能力）は、４０ｃｍ２　／ｍ〜１２００ｃｍ２　／ｍ位である。また、通気部材６の暑さｔは５ｍｍ〜１５０ｍｍ位である。
【００１７】
また、格子７、連通空間８の形状、大きさ、層の数は、通気路γの大きさ、通気性能、材質、等のより決定されるものである。
【００１８】
通気部材６の成形は、何層かを一気に押し出して成形したり、一層を押し出して成形し、その後何層かの層状に重ねて接着して成形したりするものである。
【００１９】
通気部材６の建築用パネルＢへの形成は、建築用パネルＢの裏面に接着剤等を介して貼着するものである。勿論、材質により貼着方法は異なるので、形成方法は任意である。
【００２０】
以上説明したのは本発明に係る通気水切りの一実施例にすぎず、図７（ａ）〜（ｒ）〜図９に示すように形成することもできる。
【００２１】
図７（ａ）〜（ｒ）は通気部材６に形成した連通空間８のその他の実施例を示す説明図である。
【００２２】
図８、図９は通気壁構造のその他の実施例を示す断面図である。
【００２３】
【発明の効果】
以上説明したように本発明に係る通気壁構造によれば、胴縁の形成無しで、通気路を形成できるために、▲１▼材料コストの削減が図れる。▲２▼施工期間の低減が図れる。また、▲３▼通気部材を形成した通気水切りを躯体に施工するだけで、土台から軒まで連通した通気路の下端部の入口を形成できる。等の特徴、効果がある。
【図面の簡単な説明】
【図１】
本発明に係る通気壁構造の代表例を示す断面図である。
【図２】
本発明に係る通気壁構造の代表例を示す断面図である。
【図３】
本発明に係る通気壁構造に使用する通気水切りとスタータを示す断面図である
。
【図４】
本発明に係る通気壁構造に使用する通気止縁を示す断面図である。
【図５】本発明に係る通気壁構造に使用する通気部材を示す説明図である。
【図６】本発明に係る通気壁構造に使用する建築用パネルの一実施例を示す説明図である。
【図７】本発明に係る通気壁構造のその他の例を示す説明図である。
【図８】本発明に係る通気壁構造のその他の例を示す断面図である。
【図９】本発明に係る通気壁構造のその他の例を示す断面図である。
【図１０】一般的な通気壁構造を示す断面図である。
【図１１】一般的な通気壁構造を示す断面図である。
【図１２】一般的な通気壁構造を示す断面図である。
【符号の説明】
α　躯体
β　固定具
γ　通気路
Ａ　通気水切り
ａ　基材
Ｂ　スタータ
Ｃ　通気止縁
ｃ　基材
Ｄ　建築棟パネル
１　固定片
２　水切り片
３　水切り
４　化粧面
５　補強片
６　通気部材
７　格子
８　連通空間
９　固定片
１０　下片
１１　係止片
１２　係止溝
１３　補強片
１４　固定片
１５　上片
１６　化粧片
１７　係止溝
１８　補強片
１９　表面材
２０　裏面材
２１　芯材
２２　雄型連結部
２３　雌型連結部
【図１】
2004060206.tif 000003
【図２】
2004060206.tif 000004
【図３】
2004060206.tif 000005
【図４】
2004060206.tif 000006
【図５】
2004060206.tif 000007
【図６】
2004060206.tif 000008
【図７】
2004060206.tif 000009
【図８】
2004060206.tif 000010
【図９】
2004060206.tif 000011
【図１０】
2004060206.tif 000012
【図１１】
2004060206.tif 000013
【図１２】
2004060206.tif 000014
【手続補正書】
【提出日】平成14年7月30日(2002.7.30)
【手続補正１】
【補正対象書類名】明細書
【補正対象項目名】０００１
【補正方法】変更
【補正の内容】
【０００１】
【発明の属する技術分野】
本発明は建築、構築物の外壁材として使用する建築用パネルの裏面に形成する通気機能を付加した通気壁構造に関するものである。